(57)【要約】【課題】  リング状部材を回動させて複数のサポートアームをカップ収納部内に出入れするカップホルダで、カップ等をカップ収納部に収納しているときでも、リング状部材を従来より容易に回動させることができるカップホルダの提供。【解決手段】  カップ収納部２１を有するリテーナ２０と、ガイド面３３を備え、カップ収納部２１の周縁部にカップ収納部２１内に出入り可能に配置された複数のサポートアーム３０と、サポートアーム３０と同数設けられサポートアーム３０をカップ収納部２１内から出る方向に付勢する付勢バネ４０と、ギヤ５２を備え、リテーナ２０に対して回動可能とされ、サポートアームガイド面３３と摺動してサポートアーム３０を付勢バネ４０の付勢力に抗してカップ収納部２１内に入れるリング状部材５０と、ギヤ５２と噛合するギヤ６２を備えた操作ノブ６０と、を有するカップホルダ１０。【選択図】        図１
2005199989.tif 000002
【特許請求の範囲】
【請求項１】
カップ収納部を有するリテーナと、
ガイド面を備え、前記カップ収納部の周縁部に該カップ収納部内に出入り可能に配置された複数のサポートアームと、
前記サポートアームと同数設けられ前記サポートアームを前記カップ収納部内から出る方向に付勢する付勢バネと、
ギヤを備え、前記リテーナに対して回動可能とされ、前記サポートアームのガイド面と摺動して前記サポートアームを前記付勢バネの付勢力に抗して前記カップ収納部内に入れるリング状部材と、
前記リング状部材のギヤと噛合するギヤを備えた操作ノブと、
を有するカップホルダ。
【請求項２】
前記サポートアームは、前記カップ収納部の中心部を中心として弧状に延びるアーム本体と、該アーム本体の外面に形成されたガイド部を有しており、
前記ガイド面は、前記ガイド部の外面に設けられている、
請求項１記載のカップホルダ。
【請求項３】
前記操作ノブは前記リテーナに回動可能に取付けられており、前記リテーナの上壁に前記操作ノブの一部が突出するノブ用穴が設けられている、請求項１記載のカップホルダ。
【発明の詳細な説明】
【技術分野】
【０００１】
本発明は、カップホルダに関し、とくに、複数のサポートアームを有するカップホルダに関する。
【背景技術】
【０００２】
複数のサポートアームとリング状部材を有するカップホルダは、たとえば、（ａ）実開平１−１７３０２９号公報、（ｂ）実開平２−１４３２３１号公報に開示されている。
（ａ）実開平１−１７３０２９号公報
サポートアームにガイド溝が形成されている。リング状部材を回動させたとき、サポートアームは、ガイド溝が固定ピンに案内されることにより、揺動する。
（ｂ）実開平２−１４３２３１号公報
サポートアームとリング状部材に互いに噛合うギヤが設けられている。リング状部材を回動させたとき、サポートアームは揺動する。
【０００３】
しかし、上記（ａ）（ｂ）の公報に開示されたカップホルダには、つぎの問題点がある。
リング状部材を直接回動させるため、カップ等を収納してリング状部材を回動させるとき、カップ等が邪魔になり、リング状部材を回動させることが困難である。
【特許文献１】実開平１−１７３０２９号公報
【特許文献２】実開平２−１４３２３１号公報
【発明の開示】
【発明が解決しようとする課題】
【０００４】
本発明が解決しようとする問題点は、カップ収納部に収納しているカップ等が邪魔になり、リング状部材を回動させることが困難なことである。
本発明の目的は、リング状部材を回動させて複数のサポートアームをカップ収納部内に出入れするカップホルダで、カップ等をカップ収納部に収納しているときでも、リング状部材を従来より容易に回動させることができるカップホルダを提供することにある。
【課題を解決するための手段】
【０００５】
上記目的を達成する本発明はつぎの通りである。
（１）  カップ収納部を有するリテーナと、
ガイド面を備え、前記カップ収納部の周縁部に該カップ収納部内に出入り可能に配置された複数のサポートアームと、
前記サポートアームと同数設けられ前記サポートアームを前記カップ収納部内から出る方向に付勢する付勢バネと、
ギヤを備え、前記リテーナに対して回動可能とされ、前記サポートアームのガイド面と摺動して前記サポートアームを前記付勢バネの付勢力に抗して前記カップ収納部内に入れるリング状部材と、
前記リング状部材のギヤと噛合するギヤを備えた操作ノブと、
を有するカップホルダ。
（２）  前記サポートアームは、前記カップ収納部の中心部を中心として弧状に延びるアーム本体と、該アーム本体の外面に形成されたガイド部を有しており、
前記ガイド面は、前記ガイド部の外面に設けられている、
（１）記載のカップホルダ。
（３）  前記操作ノブは前記リテーナに回動可能に取付けられており、前記リテーナの上壁に前記操作ノブの一部が突出するノブ用穴が設けられている、（１）記載のカップホルダ。
【発明の効果】
【０００６】
上記（１）〜（３）のカップホルダでは、リング状部材のギヤと噛合するギヤを備えた操作ノブが設けられているので、操作ノブを操作してリング状部材を回動させることができる。そのため、カップ収納部にカップ等を収納しているときでもカップ等が邪魔にならない位置に操作ノブを配置することにより、操作ノブが設けられていない場合に比べて、カップ収納部にカップ等を挿入しているときでもリング状部材を容易に回動させることができる。
【発明を実施するための最良の形態】
【０００７】
以下、本発明実施例のカップホルダを、図１〜図１１を参照して、説明する。
本発明実施例のカップホルダは、車両用カップホルダであり、車両の内装部材であるインスツルメントパネル、コンソールパネル等に設けられる。
本発明実施例のカップホルダ１０は、図１に示すように、カップ収納部２１を有するリテーナ２０と、ガイド面３３を備え、カップ収納部２１の周縁部にカップ収納部２１内に出入り可能に配置された複数のサポートアーム３０と、サポートアーム３０と同数設けられサポートアーム３０をカップ収納部２１内から出る方向に付勢する付勢バネ４０と、ギヤ５２を備え、リテーナ２０に対して回動可能とされ、サポートアーム３０のガイド面３３と摺動してサポートアーム３０を付勢バネ４０の付勢力に抗してカップ収納部２１内に入れるリング状部材５０と、リング状部材５０のギヤ５２と噛合するノブ側ギヤ６２を備えた操作ノブ６０とを、有する。カップホルダ１０は、さらに、カバー７０を有する。
【０００８】
リテーナ２０のカップ収納部２１は、少なくとも１つ設けられる（図示例では、２つ設けられている場合を示している）。カップ収納部２１は、上方に開放している。
リテーナ２０は、サポートアーム取付け部２２と、ストッパ壁２３と、節度山部２４と、ノブ用穴２５と、ギヤ用穴２６を、有する。
サポートアーム取付け部２２は、リテーナ２０の上面に設けられている。サポートアーム取付け部２２は、カップ収納部２１の開口の周縁部に設けられている。サポートアーム取付け部２２は、サポートアーム３０と同数設けられている。
【０００９】
ストッパ壁２３は、リング状部材５０のリテーナ２０に対する回動範囲を規制する。ストッパ壁２３は、リテーナ２０の上面に設けられている。ストッパ壁２３は、カップ収納部２１の開口の周縁部に、カップ収納部２１の開口から距離を隔てて設けられている。ストッパ壁２３は、サポートアーム取付け部２２よりも、カップ収納部２１から離れた位置に設けられている。ストッパ壁２３は、第１のストッパ壁２３ａと、第２のストッパ壁２３ｂと、からなる。
第1のストッパ壁２３ａは、リング状部材５０を一方向に回動させたときにリング状部材５０のボス部５３と当接しリング状部材５０がそれ以上一方向に回動することを規制し、第２のストッパ壁２３ｂは、リング状部材５０を他方向に回動させたときにリング状部材５０のボス部５３と当接しリング状部材５０がそれ以上他方向に回動することを規制する。
【００１０】
節度山部２４は、リング状部材５０の後述の節度ピン５３ｂと当接する。節度山部２４は、リテーナ２０の上面に形成されている。
【００１１】
ノブ用穴２５は、リテーナ２０の上壁に設けられている。ノブ用穴２５は、カップ収納部２１の開口から距離を隔てて設けられている。ノブ用穴２５は、カップ収納部２１にカップ等を収納しているときでも、カップ等が操作ノブ６０の操作の邪魔にならない位置に設けられている。ノブ用穴２５は、ギヤ用穴２６よりも、カップ収納部２１から離れた位置に設けられている。ノブ用穴２５は、１つのカップ収納部２１に対して１個設けられている。
【００１２】
ギヤ用穴２６は、リング状部材５０のギヤ５２または操作ノブ６０のノブ側ギヤ６２がリテーナ２０に当ることを防止するために設けられている。ギヤ用穴２６は、リテーナ２０の上壁に設けられている。ギヤ用穴２６は、ノブ用穴２５と繋がっている。ギヤ用穴２６は、カップ収納部２１の開口から距離を隔てて設けられている。ギヤ用穴２６は、カップ収納部２１からストッパ壁２３と同距離離れた位置に設けられている。ギヤ用穴２６は、カップ収納部２１の中心Ｏを中心とする円弧状に延びている。ギヤ用穴２６は、１つのカップ収納部２１に対して１個設けられている。
【００１３】
サポートアーム３０は、複数からなる（図示例では、１つのカップ収納部２１に対して３つある場合を示している）。サポートアーム３０は、カップ収納部２１の中心Ｏを中心として弧状に延びるアーム本体３１と、アーム本体３１の外面（外表面）３１ａに形成されたガイド部３２を有している。
【００１４】
アーム本体３１は、延び方向一端部に取付け用穴３１ｂを有している。取付け用穴３１ｂの軸芯とリテーナ２０のサポートアーム取付け部２２の軸芯とを合わせた状態で、スクリュ８０を取付け用穴３１ｂに挿通させサポートアーム取付け部２２に挿入することにより、アーム本体３１は、リテーナ２０に揺動可能に支持される。アーム本体３１がリテーナ２０に揺動可能に支持されるので、サポートアーム３０がリテーナ２０に揺動可能に支持される。以下、サポートアーム３０の揺動中心をＰとする。
【００１５】
ガイド部３２は、アーム本体３１に一体に形成されていてもよく、アーム本体３１と別体に形成されてアーム本体３１に固定して取付けられていてもよい。ガイド部３２は、ほぼ弧状に延びており、アーム本体３１の長手方向中間部から取付け用穴３１ｂの近傍まで（揺動中心Ｐ近傍まで）設けられている。
ガイド部３２の弧の外面（外表面）には、ガイド面３３が設けられている。ガイド面３３は、ガイド部３２の外面の全体にわたって設けられていてもよく、ガイド部３２の外面の一部にのみ設けられていてもよい。ガイド面３３は、揺動中心Ｐから離れる方向にいくにつれてカップ収納部２１の中心Ｏに近づく方向に傾斜する傾斜面になっている。ガイド面３３は、平面であってもよく、１つまたは複数の曲率をもつ曲面であってもよい。
【００１６】
付勢バネ４０は、たとえばコイルバネからなる。ただし、付勢バネ４０は、コイルバネに限定されるものではない。付勢バネ４０は、１つのサポートアーム３０に１個設けられている。付勢バネ４０の一端はリテーナ２０に当てられており、付勢バネ４０の他端はサポートアーム３０に当てられている。付勢バネ４０は、サポートアーム３０を揺動付勢する。付勢バネ４０は、サポートアーム３０をリング状部材５０に押し当てる方向に（カップ収納部２１から出て行く方向に）付勢する。
【００１７】
リング状部材５０は、リテーナ２０の上面に置かれている。リング状部材５０の中心は、リテーナ２０のカップ収納部２１の中心Ｏと一致している。リング状部材５０は、リテーナ２０に対して中心Ｏまわりに回動可能とされている。リング状部材５０はリテーナ２０とカバー７０の間に位置する。リング状部材５０は、プレート状の本体部５１と、ギヤ５２と、ボス部５３を有する。
【００１８】
ギヤ５２は、本体部５１の下面に設けられている。ギヤ５２は、本体部５１の下面の一部を下方に突出させて、その突出させた部位の下面に設けられていてもよい。ギヤ５２は、操作ノブ６０のノブ側ギヤ６２と噛合する。ギヤ５２がノブ側ギヤ６２と噛合するので、ノブ側ギヤ６２が回動したとき、リング状部材５０が回動する。
【００１９】
ボス部５３は、本体部５１の下面から下方に（リテーナ２０側に）突出して設けられている。ボス部５３は、少なくとも１個設けられている（図示例では、３つ設けられている場合を示している）。ボス部５３は、複数設けられる場合、本体部５１の周方向の異なる位置に設けられる。ボス部５３は、リテーナ２０のストッパ壁２３に当接可能である。ボス部５３がストッパ壁２３に当るまで、リング状部材５０はリテーナ２０に対して回動可能である。
ボス部５３のうちの少なくとも１個（図示例では２個）は、下方に開放する円筒形状になっている。円筒形状になっているボス部５３には、図１１に示すように、節度バネ５３ａと節度ピン５３ｂが挿入される。節度バネ５３ａは、節度ピン５３ｂをボス部５３内から下方に出る方向に常時付勢している。節度ピン５３ｂの下端部は、ボス部５３内から下方に出ている。節度ピン５３ｂの下端は、常時、節度バネ５３ａにより節度山部２４に押当てられている。
【００２０】
操作ノブ６０は、図１に示すように、ノブ本体６１とノブ側ギヤ６２を備える。
ノブ本体６１の形状は、たとえば円板形状である。ノブ本体６１は、スクリュ８１でリテーナ２０の側壁に回動可能に取付けられる。ノブ本体６１の回動面は、リング状部材５０の回動面と直交またはほぼ直交する。ノブ本体６１の一部（上端部）は、図２に示すように、ノブ用穴２５から上方に突出している。
ノブ側ギヤ６２は、ノブ本体６１と一体に形成されていてもよく、ノブ本体６１と別体に形成されてノブ本体６１に固定して取付けられていてもよい。ノブ側ギヤ６２は、リング状部材５０のギヤ５２と、ギヤ用穴２６を通して噛合っている。
操作ノブ６０を手または図示略のモーターで回動させることにより、リング状部材５０を回動させることができる。
【００２１】
カバー７０は、リテーナ２０の上面に取付けられる。カバー７０は、図１に示すように、第１のカバー７１と、第２のカバー７２と、からなる。
第１のカバー７１は、スクリュ８２でリテーナ２０に取付けられる。第１のカバー７１には、カップ収納部２１を開放するために、カップ挿入穴７１ａが設けられている。
第２のカバー７２は、第１のカバー７１と一体に形成されていてもよく、第１のカバー７１と別体に形成されて第１のカバー７１に固定して取付けられていてもよい（図示例では、第１のカバー７１と別体に形成されて第１のカバー７１に取付けられる場合を示している）。
【００２２】
本発明実施例作動を説明する。
（ａ）カップ収納部２１から出ている（図３〜図６に示す状態にある）サポートアーム３０をカップ収納部２１内に入れるとき
操作ノブ６０をリテーナ２０に対してＥ方向に回動させると、ノブ側ギヤ６２とギヤ５２が噛合っているためリング状部材５０がリテーナ２０に対して回転する。リング状部材５０が回転すると、ボス５３がガイド面３３に摺動しながらサポートアーム３０の揺動中心Ｐ側に移動する。ボス５３が揺動中心Ｐ側に移動すると、サポートアーム３０が、付勢バネ４０の付勢力に抗してサポートアーム３０の揺動中心Ｐまわりに揺動し、カップ収納部２１内に入り込んでくる。複数のサポートアーム３０の全部（図示例では３個）が同じ動きをする。
（ｂ）カップ収納部２１に入り込んでいる（図７〜図１０に示す状態にある）サポートアーム３０をカップ収納部２１から出すとき
操作ノブ６０をリテーナ２０に対して反Ｅ方向に回動させると、リング状部材５０が、ボス部５３がサポートアーム３０の揺動中心Ｐから離れる方向に、回動する。ボス部５３が揺動中心Ｐから離れる方向に移動すると、サポートアーム３０が、付勢バネ４０の付勢力により揺動中心Ｐまわりに揺動し、カップ収納部２１から出て行く。複数のサポートアーム３０が全部（図示例では３個）同じ動きをする。
（ｃ）カップ収納部２１に入り込んでいるサポートアーム３０をカップ収納部２１から出すときに複数のサポートアーム３０のうちの一つに指等が引っ掛かったとき
操作ノブ６０をリテーナ２０に対して反Ｅ方向に回動させると、リング状部材５０が回動する。リング状部材５０が回動すると、サポートアーム３０が付勢バネ４０の付勢力により揺動中心Ｐまわりに揺動し、カップ収納部２１から出て行く。そのときに複数のサポートアーム３０のうちの一つに指等が引っ掛かると、指等が引っ掛かっていないサポートアーム３０は指等が引っ掛かったサポートアーム３０の影響を受けることなく、指等が引っ掛かったサポートアーム３０のみが付勢バネ４０の付勢力に抗して揺動を妨げられる。そのため、指等が引っ掛かったサポートアーム３０のみを付勢バネ４０の付勢力に抗して中心Ｏ側に移動させることにより、引っ掛かった指等をサポートアーム３０から外すことができる。
【００２３】
本発明実施例の作用・効果を説明する。
リング状部材５０のギヤ５２と噛合するノブ側ギヤ６２を備えた操作ノブ６０が設けられているので、操作ノブ６０を操作してリング状部材５０を回動させることができる。そのため、カップ収納部２１にカップ等を収納しているときでもカップ等が邪魔にならない位置に操作ノブ６０を配置することにより、操作ノブ６０が設けられていない場合に比べて、カップ収納部２１にカップ等を挿入しているときでもリング状部材５０を容易に回動させることができる。
【００２４】
サポートアーム３０が付勢バネ４０の付勢力でリング状部材５０に押し当てられており、リング状部材５０を回動させることによりボス部５３がガイド面３３上を摺動してサポートアーム３０を付勢バネ４０の付勢力に抗して揺動させる。そのため、カップ収納部２１内に入り込んでいるサポートアーム３０をカップ収納部２１から出すときに、複数のサポートアーム３０のうちの一つに指等が引っ掛かっても、指等が引っ掛かったサポートアーム３０のみを付勢バネ４０の付勢力に抗してカップ収納部２１の中心Ｏ側に移動させることにより、引っ掛かった指等をサポートアーム３０から外すことができる。
【図面の簡単な説明】
【００２５】
【図１】本発明実施例のカップホルダの分解斜視図である。
【図２】本発明実施例のカップホルダの斜視図である。
【図３】本発明実施例のカップホルダの、サポートアームがカップ収納部から出ているときを示す、カバーを外した状態の斜視図である。
【図４】本発明実施例のカップホルダの、サポートアームがカップ収納部から出ているときを示す平面図である。
【図５】図４のＡ−Ａ線断面図である。
【図６】図４のＢ−Ｂ線断面図である。
【図７】本発明実施例のカップホルダの、サポートアームがカップ収納部に入り込んでいるときを示す、カバーを外した状態の斜視図である。
【図８】本発明実施例のカップホルダの、サポートアームがカップ収納部に入り込んでいるときを示す平面図である。
【図９】図８のＣ−Ｃ線断面図である。
【図１０】図８のＤ−Ｄ線断面図である。
【図１１】本発明実施例のカップホルダの、リング状部材のボス部とその近傍を示す断面図である。
【符号の説明】
【００２６】
１０  カップホルダ
２０  リテーナ
２１  カップ収納部
３０  サポートアーム
３１  アーム本体
３２  ガイド部
３３  ガイド面
４０  付勢バネ
５０  リング状部材
５１  本体部
５２  ギヤ
５３  ボス部
６０  操作ノブ
６１  ノブ本体
６２  ノブ側ギヤ
７０  カバー
Ｏ  カップ収納部の中心
Ｐ  サポートアームの揺動中心
【図１】
2005199989.tif 000003
【図２】
2005199989.tif 000004
【図３】
2005199989.tif 000005
【図４】
2005199989.tif 000006
【図５】
2005199989.tif 000007
【図６】
2005199989.tif 000008
【図７】
2005199989.tif 000009
【図８】
2005199989.tif 000010
【図９】
2005199989.tif 000011
【図１０】
2005199989.tif 000012
【図１１】
2005199989.tif 000013